(57)【特許請求の範囲】
【請求項１】
送信機能を有する画像処理装置であって、
原稿を読み取る読取手段と、
少なくとも送信宛先を含む、送信機能に関するデータを通信端末から受信する受信手段と、
前記受信した送信機能に関するデータにスキャンに関連する情報が含まれていることに少なくとも従って、前記受信した送信機能に関するデータに基づくデータを保持する保持手段と、
データを外部に送信する送信手段と、
前記保持手段が保持する前記データに含まれる送信宛先に対して、前記読取手段が原稿を読み取ることで得られる画像に基づくデータを送信するための送信画面を表示部に表示する表示制御手段と、を有し、
前記送信手段は、前記受信した送信機能に関するデータにスキャンに関連する情報が含まれていないことに少なくとも従って、前記受信した送信機能に関するデータに含まれる送信宛先に対して、前記通信端末から受信した送信データを送信し、
前記送信画面が表示された状態で、ユーザから実行指示を受け付けたことに基づいて、前記送信宛先に前記読取手段によって原稿を読み取ることで得られた画像に基づくデータを送信することを特徴とする画像処理装置。
【請求項２】
前記受信した送信機能に関するデータに前記スキャンに関連する情報及び送信データが含まれている場合、前記送信手段は、前記実行指示を受け付けたことに基づいて、前記送信データと、前記読取手段によって原稿を読み取ることで得られた画像に基づくデータを前記送信宛先に送信することを特徴とする請求項１に記載の画像処理装置。
【請求項３】
前記送信画面は、所定のユーザ操作を受け付けたことに従って表示されることを特徴とする請求項１又は２に記載の画像処理装置。
【請求項４】
前記受信した送信機能に関するデータに含まれる送信宛先は、電話番号であり、前記送信手段は、前記送信宛先へファクシミリデータを送信することを特徴とする請求項１乃至３のいずれか１項に記載の画像処理装置。
【請求項５】
前記送信画面には、前記受信した送信機能に関するデータに含まれるスキャン設定を示す情報が表示されることを特徴とする請求項１乃至４のいずれか１項に記載の画像処理装置。
【請求項６】
前記保持手段が複数のデータを保持している場合、前記表示制御手段は、前記送信画面を表示する前に、選択画面を表示するよう制御し、当該選択画面を介した選択操作が行われた後に、前記表示部に表示する画面を前記送信画面に遷移させることを特徴とする請求項１乃至５のいずれか１項に記載の画像処理装置。
【請求項７】
前記通信端末から受信する送信機能に関するデータには、更に認証情報が含まれており、
前記表示制御手段は、前記送信画面を表示する前に、前記受信した送信機能に関するデータに関連する認証情報を入力するための入力画面を前記表示部に表示し、前記入力画面を介して入力された認証情報に基づき前記保持手段に対応するデータが保持されていると判断したことに従って、前記表示部に表示する画面を確認画面に遷移させ、更に、当該確認画面を介したユーザ操作を受け付けたことに従って、前記表示部に表示する画面を前記送信画面に遷移させることを特徴とする請求項１乃至５のいずれか１項に記載の画像処理装置。
【請求項８】
前記表示制御手段は、前記入力画面を介して入力された認証情報に基づき前記保持手段に対応するデータが保持されていないと判断したことに従って、前記表示部に表示する画面をエラー画面に遷移させることを特徴とする請求項７に記載の画像処理装置。
【請求項９】
前記送信画面が表示された状態で、スキャン設定を変更するユーザ操作を受け付けたことに従って、前記読取手段によって原稿を読み取る場合に使用する設定を変更する変更手段を更に備えることを特徴とする請求項１乃至８のいずれか１項に記載の画像処理装置。
【請求項１０】
前記送信データは、前記受信した送信機能に関するデータに含まれていることを特徴とする請求項１乃至９のいずれか１項に記載の画像処理装置。
【請求項１１】
前記受信した送信機能に関するデータに含まれている送信データに基づきプレビュー画像を生成する生成手段を更に備え、
前記表示制御手段は、所定のユーザ操作を受け付けたことに従って、前記プレビュー画像を前記表示部に表示することを特徴とする請求項１０に記載の画像処理装置。
【請求項１２】
前記受信手段は、無線通信のアクセスポイントを介して前記送信機能に関するデータを受信することを特徴とする請求項１乃至１１のいずれか１項に記載の画像処理装置。
【請求項１３】
送信機能を有する画像処理装置の制御方法であって、
読取手段を用いて原稿を読み取る読取制御ステップと、
少なくとも送信宛先を含む、送信機能に関するデータを通信端末から受信する受信ステップと、
前記受信した送信機能に関するデータにスキャンに関連する情報が含まれていることに少なくとも従って、前記受信したデータに基づくデータを保持する保持ステップと、
データを外部に送信する送信ステップと、
前記保持ステップで保持された前記データに含まれる送信宛先に対して、前記読取制御ステップで原稿を読み取ることで得られる画像に基づくデータを送信するための送信画面を表示部に表示する表示制御ステップと、を有し
前記送信ステップでは、前記受信した送信機能に関するデータにスキャンに関連する情報が含まれていないことに少なくとも従って、前記受信した送信機能に関するデータに含まれる送信宛先に対して、前記通信端末から受信した送信データを送信し、
前記送信画面が表示された状態で、ユーザから実行指示を受け付けたことに基づいて、前記送信宛先に前記読取制御ステップによって原稿を読み取ることで得られた画像に基づくデータを送信することを特徴とする画像処理装置の制御方法。
【請求項１４】
請求項１３に記載の画像処理装置の制御方法をコンピュータに実行させるためのプログラム。
【発明の詳細な説明】
【技術分野】
【０００１】
本発明は、画像処理装置、画像処理装置の制御方法及びプログラムに関する。
【背景技術】
【０００２】
従来、クライアントコンピュータで生成した画像データを、ＬＡＮ（Ｌｏｃａｌ  Ａｒｅａ  Ｎｅｔｗｏｒｋ）を介してファックス装置に送信し、ファックス装置からファックス送信する機能が知られている。この場合、ファックス送信の宛先はクライアントコンピュータ側でユーザが指定することが可能であった。
また、クライアントコンピュータ側で画像データを準備せず、ユーザが指定した宛先のみをファックス装置に通知し、ファックス装置側で原稿を読み取って生成した画像データを指定された宛先にファックス送信する機能も知られていた（特許文献１）。
【先行技術文献】
【特許文献】
【０００３】
【特許文献１】特開平７−２８８６２５号公報
【発明の概要】
【発明が解決しようとする課題】
【０００４】
しかしながら、特許文献１に記載の技術では、ファックス装置のスキャナ部が使用中である場合や、ファックス装置が他のクライアントコンピュータからの指示による原稿読取送信ジョブを実行中である場合には新規の原稿読取送信ジョブを受け付けない。即ち、特許文献１に記載の技術においては、他のユーザによるファックス装置の使用状況によって新規の原稿読取送信ジョブの実行可否が決定されるため使い勝手が良くないという問題があった。
また、特許文献１に記載の技術では、別々のクライアントコンピュータからほぼ同時に原稿読取送信ジョブを受信した場合、先に受信したジョブで指定されている宛先に対して原稿を読み取って生成した画像データを送信する。そのため、ユーザが意図していない宛先、即ち、他のクライアントコンピュータから指示された原稿読取送信ジョブで指定されている宛先に対して画像データが送信される可能性があり、セキュリティ上問題がある。
本発明は、複数のユーザが画像処理装置を共有で使用する場合であっても、他のユーザによる画像処理装置の使用状況によらず確実に原稿読取送信ジョブを実行する仕組みを提供することを目的とする。
【課題を解決するための手段】
【０００５】
そこで、本発明は送信機能を有する画像処理装置であって、原稿を読み取る読取手段と、少なくとも送信宛先を含む、送信機能に関するデータを通信端末から受信する受信手段と、前記受信した送信機能に関するデータにスキャンに関連する情報が含まれていることに少なくとも従って、前記受信した送信機能に関するデータに基づくデータを保持する保持手段と、データを外部に送信する送信手段と、前記保持手段が保持する前記データに含まれる送信宛先に対して、前記読取手段が原稿を読み取ることで得られる画像に基づくデータを送信するための送信画面を表示部に表示する表示制御手段と、を有し、前記送信手段は、前記受信した送信機能に関するデータにスキャンに関連する情報が含まれていないことに少なくとも従って、前記受信した送信機能に関するデータに含まれる送信宛先に対して、前記通信端末から受信した送信データを送信し、前記送信画面が表示された状態で、ユーザから実行指示を受け付けたことに基づいて、前記送信宛先に前記読取手段によって原稿を読み取ることで得られた画像に基づくデータを送信することを特徴とする。
【発明の効果】
【０００６】
本発明によれば、複数のユーザが画像処理装置を共有で使用する場合であっても、他のユーザによる画像処理装置の使用状況によらず確実に原稿読取送信ジョブを実行する仕組みを提供することができる。
【図面の簡単な説明】
【０００７】
【図１】画像処理システムのシステム構成の一例を示す図である。
【図２】ＭＦＰのハードウェア構成の一例を示す図である。
【図３】ＭＦＰのソフトウェア構成の一例を示す図である。
【図４】タブレット型端末のハードウェア構成の一例を示す図である。
【図５】タブレット型端末の操作画面の一例を示す図（その１）である。
【図６】画像処理システムの処理の一例を示すシーケンス図（その１）である。
【図７】タブレット型端末の操作画面の一例を示す図（その２）である。
【図８】タブレット型端末の操作画面の一例を示す図（その３）である。
【図９】画像処理システムの処理の一例を示すシーケンス図（その２）である。
【図１０】画像処理システムの処理の一例を示すシーケンス図（その３）である。
【図１１】ＭＦＰの処理の一例を示すフローチャート（その１）である。
【図１２】ＭＦＰの処理の一例を示すフローチャート（その２）である。
【図１３】ＭＦＰの表示画面の一例を示す図（その１）である。
【図１４】タブレット型端末の操作画面の一例を示す図（その４）である。
【図１５】画像処理システムの処理の一例を示すシーケンス図（その４）である。
【図１６】画像処理システムの処理の一例を示すシーケンス図（その５）である。
【図１７】ＭＦＰの処理の一例を示すフローチャート（その３）である。
【図１８】ＭＦＰの処理の一例を示すフローチャート（その４）である。
【図１９】ＭＦＰの表示画面の一例を示す図（その２）である。
【発明を実施するための形態】
【０００８】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
＜実施形態１＞
本発明の実施形態１について説明する。図１は、本実施形態における画像処理システムのシステム構成の一例を示す図である。情報処理装置の一例であるタブレット型端末１０１は、無線ネットワークルーター（無線アクセスポイント）１０２を介してＭＦＰ１０３と通信する。ＭＦＰ１０３は、画像処理装置の一例である。タブレット型端末１０１と無線ネットワークルーター１０２とは無線ＬＡＮ（Ｌｏｃａｌ  Ａｒｅａ  Ｎｅｔｗｏｒｋ）で接続されている。ＭＦＰ１０３と無線ネットワークルーター１０２とは有線ＬＡＮで接続されている。また、ＭＦＰ１０３は、公衆回線網（ＰＳＴＮ）にも接続されている。なお、タブレット型端末１０１とＭＦＰ１０３との通信経路は上述したものに限らない。例えば、タブレット型端末１０１と無線ネットワークルーター１０２とが有線ＬＡＮで接続されていても良い。また、ＭＦＰ１０３と無線ネットワークルーター１０２とが無線ＬＡＮで接続されていても良い。更に、タブレット型端末１０１とＭＦＰ１０３とが同一ネットワークに接続されていても良い。即ち、タブレット型端末１０１とＭＦＰ１０３とがネットワークを介して通信可能な構成であればどのような構成であっても良い。
【０００９】
図２は、ＭＦＰ１０３のハードウェア構成の一例を示す図である。ＣＰＵ２１１を含む制御部２１０は、ＭＦＰ１０３全体の動作を制御する。ＣＰＵ２１１は、ＲＯＭ２１２に記憶された制御プログラムを読み出して、読取／印刷／通信等の各種制御を行う。より具体的に説明すると、ＣＰＵ２１１は、ＲＯＭ２１２等に記憶されたプログラムを読み出して実行することにより、後述するＭＦＰ１０３のソフトウェア構成、シーケンス図におけるＭＦＰ１０３の処理及びフローチャートに示す各処理を実現する。
ＲＡＭ２１３は、ＣＰＵ２１１の主メモリ、ワークエリア等の一時記憶領域として用いられる。なお、ＭＦＰ１０３は１つのＣＰＵ２１１が１つのメモリ（ＲＡＭ２１３又はＨＤＤ２１４）を用いて後述するフローチャートに示す各処理を実行するものとするが、他の態様であっても構わない。例えば、複数のＣＰＵや複数のＲＡＭ又はＨＤＤを協働させてフローチャートに示す各処理を実行するようにすることもできる。
ＨＤＤ２１４は、画像データや各種プログラムを記憶する。また、ＨＤＤ２１４は、ＭＦＰ１０３の各種設定データの記憶領域としても使用される。操作部Ｉ／Ｆ２１５は、操作部２２０と制御部２１０とを接続する。操作部２２０には、タッチパネル機能を有する液晶表示部やキーボード等が備えられており、ユーザによる操作、入力、指示を受け付ける受付部としての役割を担う。
【００１０】
プリンタＩ／Ｆ２１６は、プリンタ２２１と制御部２１０とを接続する。プリンタ２２１で印刷すべき画像データはプリンタＩ／Ｆ２１６を介して制御部２１０から転送され、プリンタ２２１により記録媒体上に印刷される。
スキャナＩ／Ｆ２１７は、スキャナ２２２と制御部２１０とを接続する。スキャナ２２２は、原稿を読み取って画像データを生成し、スキャナＩ／Ｆ２１７を介して制御部２１０に入力する。
モデムＩ／Ｆ２１８は、モデム２２３と制御部２１０とを接続する。モデム２２３は、ＰＳＴＮに接続され、外部のファックス装置（図示せず）との間における画像データのファックス通信を実行する。ネットワークＩ／Ｆ２１９は、制御部２１０（ＭＦＰ１０３）を有線ＬＡＮに接続する。ＭＦＰ１０３は、ネットワークＩ／Ｆ２１９を用いて外部装置と通信し、画像データや各種情報を送受信することができる。
【００１１】
図３は、ＭＦＰ１０３のソフトウェア構成の一例を示す図である。図３において実線で示した各部は、ＣＰＵ２１１がＲＯＭ２１２又はＨＤＤ２１４に記憶されたプログラムを読み出して実行することにより実現されるソフトウェアモジュールである。ＵＩ（Ｕｓｅｒ  Ｉｎｔｅｒｆａｃｅ）部３０１は、操作部２２０を介して各種情報をユーザに提供するとともに、ユーザからの各種指示を受け付ける。Ｊｏｂ  Ｃｏｎｔｒｏｌｌｅｒ部３０２は、コピーやプリント、ファックス等のジョブを受け付け、受け付けたジョブの実行を制御する。Ｐｒｏｔｏｃｏｌ  Ｓｔａｃｋ部３０４は、ＴＣＰ／ＩＰやＨＴＴＰ（Ｈｙｐｅｒｔｅｘｔ  Ｔｒａｎｓｆｅｒ  Ｐｒｏｔｏｃｏｌ）等の各種ネットワークプロトコルを保持する。
本実施形態において、タブレット型端末１０１から送信される画像データは、Ｐｒｏｔｏｃｏｌ  Ｓｔａｃｋ部３０４に保持されたネットワークプロトコルに従い、ネットワークＩ／Ｆ２１９を介して受信される。受信した画像データは、Ｉｍａｇｅ  Ｆｉｌｅ部３０３によって格納される。Ｉｍａｇｅ  Ｆｉｌｅ部３０３は、ＲＡＭ２１３やＨＤＤ２１４に格納された画像データを管理するソフトウェアモジュールである。
【００１２】
Ｉｍａｇｅ  Ｆｉｌｅ部３０３は、ネットワークＩ／Ｆ２１９を介して受信した画像データだけでなく、スキャナ２２２によって生成された画像データも格納する。スキャナ２２２による画像データの生成は、Ｓｃａｎ部３０６によって制御される。Ｆａｘ部３０５は、モデム２２３を介したファックス通信を制御する。ＭＦＰ１０３からのファックス送信を行う場合は、Ｆａｘ部３０５が、Ｉｍａｇｅ  Ｆｉｌｅ部３０３に格納されている画像データを読み出して送信する。
ＯＳ（Ｏｐｅｒａｔｉｎｇ  Ｓｙｓｔｅｍ）部３０８は、各モジュールやタスクを調整し、ＭＦＰ１０３のソフトウェア全体を管理する。ＯＳ部３０８には、Ｄｅｖｉｃｅ  Ｄｒｉｖｅｒ部３０７が組み合わされている。Ｄｅｖｉｃｅ  Ｄｒｉｖｅｒ部３０７は、スキャナ２２２やモデム２２３等のハードウェアデバイスを制御する。
【００１３】
図４は、タブレット型端末１０１のハードウェア構成の一例を示す図である。ＣＰＵ４１１を含む制御部４１０は、タブレット型端末１０１全体の動作を制御する。ＣＰＵ４１１は、メモリ４１２に記憶された制御プログラムを読み出して各種制御を行う。より具体的に説明すると、ＣＰＵ４１１は、メモリ４１２等に記憶されたプログラムを読み出して実行することにより、タブレット型端末１０１の機能及び後述するシーケンス図におけるタブレット型端末１０１の処理を実現する。また、メモリ４１２は、ＣＰＵ４１１の主メモリ、ワークエリア等の一時記憶領域としても用いられる。なお、タブレット型端末１０１は１つのＣＰＵ４１１が１つのメモリ４１２を用いて各処理を実行するものとするが、他の態様であっても構わない。例えば、複数のＣＰＵや複数のメモリを協働させて各処理を実行するようにすることもできる。
操作部Ｉ／Ｆ４１３は、操作部４２０と制御部４１０とを接続する。操作部４２０には、タッチパネル機能を有する液晶表示部が備えられており、ユーザによる操作、入力、指示等を受け付ける受付部としての役割を担う。ネットワークＩ／Ｆ４１４は、制御部４１０（タブレット型端末１０１）を無線ＬＡＮに接続する。タブレット型端末１０１は、ネットワークＩ／Ｆ４１４を用いて外部装置に画像データや情報を送信したり、各種情報を受信したりすることができる。
【００１４】
図５は、タブレット型端末１０１に表示されるファックス送信アプリケーションの操作画面の一例を示す図である。ファックス送信アプリケーションは、インターネット上のサーバからダウンロードしてタブレット型端末１０１に追加インストールすることが可能なアプリケーションであり、タブレット型端末１０１のＯＳ部上で操作するソフトウェアである。ファックス送信アプリケーションを用いることにより、ＭＦＰ１０３にファックス送信を行わせるための設定をタブレット型端末１０１側で行うことができる。後述するタブレット型端末１０１の動作はファックス送信アプリケーションからの指示に基づいて実行される。
タブレット型端末１０１でファックス送信アプリケーションを起動すると、図５に示す操作画面が表示される。設定欄５０１は、ファックス送信を実行させるＭＦＰを選択設定する欄である。設定欄５０１にタッチすると、タブレット型端末１０１が周囲にあるＭＦＰを検索し、見つかったＭＦＰが一覧表示される。ユーザは、表示されたＭＦＰからファックス送信を実行させるＭＦＰを選択することができる。
設定欄５０２は、ファックス送信の宛先となる電話番号（ファックス番号）を設定する欄である。ユーザは、タブレット型端末１０１に表示されるソフトキーボードを用いて電話番号を入力しても良いし、タブレット型端末１０１に記憶されているアドレス帳を参照して電話番号を選択しても良い。
設定欄５０３は、ＭＦＰ１０３のスキャナ２２２を用いて実行するスキャン処理（読取処理）の詳細設定を行う欄である。設定欄５０３をタッチすると、解像度や画質、原稿サイズ等の読取パラメータを指定するための画面が表示され、この画面を介してユーザからスキャン設定を受け付ける。なお、設定欄５０３により設定されたスキャン処理の詳細設定は、スキャン処理開始前であればＭＦＰ１０３の操作部２２０によりユーザが変更することができる。
ファックス送信キー５０４は、ＭＦＰ１０３に対してファックス送信の実行を指示するためのキーである。設定欄５０１乃至５０３の設定が済んだ後にファックス送信キー５０４が押下されると、タブレット型端末１０１とＭＦＰ１０３との通信が開始される。
【００１５】
図６は、タブレット型端末１０１とＭＦＰ１０３とにおける処理の一例を示すシーケンス図である。Ｓ６０１でタブレット型端末１０１は、図５のタブレット型端末１０１の操作画面を介してユーザからの設定を受け付ける。Ｓ６０２では、タブレット型端末１０１が、ＭＦＰ１０３にジョブ生成のためのコマンドを送信する。ここで、ジョブ生成コマンドには、タブレット型端末１０１を操作するユーザのユーザ名が属性情報として付加されるものとする。このコマンドを受けたＭＦＰ１０３は、Ｓ６０３でＯＫをタブレット型端末１０１に応答する。
Ｓ６０４では、タブレット型端末１０１が、ＭＦＰ１０３にスキャンの実行を指示するスキャンコマンドを送信する。このコマンドを受けたＭＦＰ１０３は、スキャナ２２２の使用状況に関わらず、Ｓ６０５でＯＫをタブレット型端末１０１に応答する。Ｓ６０６では、タブレット型端末１０１が、ＭＦＰ１０３にジョブ終了のためのコマンドを送信する。このコマンドを受けたＭＦＰ１０３は、Ｓ６０７でＯＫをタブレット型端末に応答し、Ｓ６０８で当該受信ジョブを原稿スキャン待ちファックス送信ジョブとして保存する。なお、スキャンコマンドを含むファックス送信ジョブのことを、原稿読取送信ジョブという。
【００１６】
次に、ＭＦＰ１０３は、ユーザの操作があるまで待機し、Ｓ６０９でユーザの操作（原稿スキャン待ちファックス送信ジョブのリスト表示指示）を受け付けると、Ｓ６１０に進む。Ｓ６１０でＭＦＰ１０３は、操作部２２０の表示部に原稿スキャン待ちファックス送信ジョブのリスト（ジョブ一覧）を表示する（ジョブ一覧表示処理）。上述した通り、本実施形態におけるＭＦＰ１０３は、スキャナ２２２の使用状況に関わらず、スキャンコマンドを含むファックス送信ジョブを受け付ける。そのため、Ｓ６１０でＭＦＰ１０３が表示する画面には、Ｓ６０９でユーザの操作を受け付けるまでに受信した未処理の原稿スキャン待ちファックス送信ジョブが全て表示される。
ここで、Ｓ６１０で表示される画面では、ユーザ名をキーにして表示するジョブリストの絞り込みを行うことも可能となっている。ＭＦＰ１０３は、Ｓ６１１でユーザからジョブリストの絞り込み指示を受け付けた場合、Ｓ６１２で絞り込み結果を反映した原稿スキャン待ちファックス送信ジョブのリスト表示を行う。
【００１７】
次に、Ｓ６１３でＭＦＰ１０３は、ユーザによるジョブ選択操作及び読取設定指示を受け付け、ユーザの操作指示があると、Ｓ６１４で前記選択されたジョブに係る送信設定内容の確認画面を表示する。なお、Ｓ６１４における処理は、確認画面表示処理の一例である。ここで表示する確認画面には、少なくとも宛先電話番号が表示されるものとする。ＭＦＰ１０３は、Ｓ６１５でユーザから前記確認画面の表示内容で間違い無い旨の操作指示を受け付けると、Ｓ６１６で操作部２２０の表示部に当該原稿スキャン待ちファックス送信ジョブに係るスキャン設定画面を表示し、ユーザの操作指示を受け付ける。なお、Ｓ６１６における処理は、設定画面表示処理の一例である。
Ｓ６１７でユーザによるスキャン実行指示があると、Ｓ６１８でＭＦＰ１０３は、スキャナ２２２を用いた原稿のスキャン処理を行う。スキャン処理は、図５の設定欄５０３に設定された内容に従うが、Ｓ６１６で表示するスキャン設定画面で設定内容が変更された場合は変更後の設定に従うものとする。Ｓ６１９でＭＦＰ１０３は、Ｓ６１８で実行したスキャン処理によって得られた画像データをファックス送信する。このファックス送信の宛先は、図５の設定欄５０２に設定された電話番号である。なお、Ｓ６１８及びＳ６１９における処理は、確認画面とスキャン設定画面とを介して受け付けた指示に応じてジョブを処理する実行処理の一例である。
以上のようにして、タブレット型端末１０１で設定された内容に従って、ＭＦＰ１０３で原稿をスキャンし、得られた画像データをファックス送信する処理が行われる。以下、この処理を第１の送信処理と称する。第１の送信処理では、ＭＦＰ１０３によるスキャンで得られた画像データのみをファックス送信する。これに対し、タブレット型端末１０１側で用意した画像データをＭＦＰ１０３からファックス送信する第２の送信処理を次に説明する。
【００１８】
図７は、タブレット型端末１０１に表示されるデータ管理アプリケーションの操作画面の一例を示す図である。タブレット型端末１０１には、ネットワーク上からダウンロードした画像データやタブレット型端末１０１に備えられたカメラ機能を用いて撮影した画像データが記憶されている。これらの画像データは、タブレット型端末１０１にインストールされたデータ管理アプリケーションを用いて順次切り替えて表示することが可能であり、図７の操作画面は記憶されている画像データの一つが表示された様子を示している。
図７の操作画面において、ユーザが操作キー７０１を押下すると、現在表示されている画像データに対して実行する機能を選択する画面が表示される。この画面には、メール送信アプリケーションや印刷アプリケーション等の他に、上述したファックス送信アプリケーションが選択候補として表示される。ユーザがファックス送信アプリケーションを選択すると、図８の操作画面に切り替わる。
【００１９】
図８は、タブレット型端末１０１に表示されるファックス送信アプリケーションの操作画面の一例を示す図である。設定欄８０１、８０２、８０４は、それぞれ図５で説明した設定欄５０１、５０２、５０３と同様である。ファックス送信キー８０５は、図５で説明したファックス送信キー５０４と同様である。図８の操作画面を図５の操作画面と比較すると、設定欄８０３が追加されていることが分かる。設定欄８０３では、図７の操作画面で選択した画像データのみをＭＦＰ１０３からファックス送信するか、図７の操作画面で選択した画像データとＭＦＰ１０３によるスキャン処理で得られた画像データの両方をＭＦＰ１０３からファックス送信するかを設定する。以下、前者の処理を第２の送信処理と称する。また、後者の処理を第３の送信処理と称する。設定欄８０３では、「オン」又は「オフ」が選択可能である。「オフ」が設定されると第２の送信処理が実行される。「オン」が設定されると第３の処理が実行される。即ち、ユーザは、図８の操作画面を介してマージ処理するか否かを設定する。そして、ＭＦＰ１０３は、マージ処理を実行するか否かの指示をタブレット型端末１０１から受け付ける（受付処理）。マージ処理の詳細については後述する。
【００２０】
図９は、設定欄８０３で「オフ」が設定された場合、即ち、第２の送信処理を実行する場合の処理の一例を示すシーケンス図である。Ｓ９０１では、タブレット型端末１０１が、図７の操作画面を介してユーザからの画像選択を受け付ける。続くＳ９０２では、タブレット型端末１０１が、図８の操作画面を介してユーザからの設定を受け付ける。なお、第２の送信処理ではＭＦＰ１０３によるスキャン処理は実行されないため、設定欄８０４をグレーアウト表示するようにしても良い。Ｓ９０３では、タブレット型端末１０１が、ＭＦＰ１０３にジョブ生成のためのコマンドを送信する。このコマンドを受けたＭＦＰ１０３は、Ｓ９０４でＯＫをタブレット型端末１０１に応答する。
Ｓ９０５では、タブレット型端末１０１が、ＭＦＰ１０３に画像コマンドを送信する。画像コマンドには、ＭＦＰ１０３からファックス送信すべき画像データが含まれる。この画像データは、図７の操作画面に表示されていたものである。画像コマンドを受けたＭＦＰ１０３は、Ｓ９０６でＯＫをタブレット型端末１０１に応答する。Ｓ９０７では、タブレット型端末１０１が、ＭＦＰ１０３にジョブ終了のためのコマンドを送信する。このコマンドを受けたＭＦＰ１０３は、Ｓ９０８でＯＫをタブレット型端末１０１に応答する。Ｓ９０９では、ＭＦＰ１０３が、タブレット型端末１０１から受信した画像データをファックス送信する。このファックス送信の宛先は、設定欄８０２に設定された電話番号である。第２の送信処理では、ＭＦＰ１０３側でのスキャン処理が実行されない。このため、第１の送信処理とは異なり、ユーザによるＭＦＰ１０３の操作を待つ必要はない。
以上のようにして、タブレット型端末１０１で設定された内容に従って、タブレット型端末１０１からＭＦＰ１０３に送信した画像データをＭＦＰ１０３からファックス送信する処理（第２の送信処理）が行われる。次に第３の送信処理について説明する。
【００２１】
図１０は、設定欄８０３で「オン」が設定された状態で、図８のファックス送信キー８０５が押下された場合、即ち、第３の送信処理を実行する場合の処理の一例を示すシーケンス図である。Ｓ１００１では、タブレット型端末１０１が、図７の操作画面を介してユーザからの画像選択を受け付ける。続くＳ１００２では、タブレット型端末１０１が、図８の操作画面を介してユーザからの設定を受け付ける。Ｓ１００３では、タブレット型端末１０１が、ＭＦＰ１０３にジョブ生成のためのコマンドを送信する。このコマンドを受けたＭＦＰ１０３は、Ｓ１００４でＯＫをタブレット型端末１０１に応答する。
Ｓ１００５では、タブレット型端末１０１が、ＭＦＰ１０３に画像コマンドを送信する。画像コマンドには、ＭＦＰ１０３からファックス送信すべき画像データが含まれる。この画像データは、図７の操作画面に表示されていたものである。画像データを受けたＭＦＰ１０３は、Ｓ１００６でＯＫをタブレット型端末１０１に応答する。Ｓ１００７では、タブレット型端末１０１が、ＭＦＰ１０３にスキャンの実行を指示するスキャンコマンドを送信する。このコマンドを受けたＭＦＰ１０３は、スキャナ２２２の使用状態に関わらず、Ｓ１００８でＯＫをタブレット型端末１０１に応答する。Ｓ１００９では、タブレット型端末１０１が、ＭＦＰ１０３にジョブ終了のためのコマンドを送信する。このコマンドを受けたＭＦＰ１０３は、Ｓ１０１０でＯＫをタブレット型端末１０１に応答し、Ｓ１０１１で当該受信ジョブを原稿スキャン待ちファックス送信ジョブとして保存する。
【００２２】
次に、ＭＦＰ１０３は、ユーザの操作があるまで待機する。Ｓ１０１２からＳ１０１７でＭＦＰ１０３は、ユーザの操作によるジョブ選択及び読取設定指示を受け付け、当該選択されたジョブに係る送信設定内容の確認画面を表示するが、図６のＳ６０９乃至Ｓ６１４で述べた動作と同様となるため説明は省略する。
第３の送信処理では、Ｓ１０１７で表示する送信設定内容の確認画面において宛先電話番号等の送信設定内容の他に、上述のＳ１００５でタブレット型端末１０１から画像コマンドにより受信した画像データのプレビューを行うことが可能となっている。ＭＦＰ１０３は、Ｓ１０１８でユーザによるプレビュー指示を受け付けた場合、Ｓ１０１９で操作部２２０の表示部に当該画像データのプレビュー表示を行う。
次に、ＭＦＰ１０３は、Ｓ１０２０でユーザから送信設定内容に間違いが無い旨の操作指示を受け付けると、Ｓ１０２１で操作部２２０の表示部に当該ジョブに係るスキャン設定画面を表示し、ユーザの操作指示を受け付ける。Ｓ１０２２でユーザによるスキャン実行指示があると、Ｓ１０２３でＭＦＰ１０３は、スキャナ２２２を用いた原稿のスキャン処理を行う。スキャン処理は、図８の設定欄８０３に設定された内容に従うが、Ｓ１０２１で表示するスキャン設定画面で設定内容が変更された場合は変更後の設定に従うものとする。
【００２３】
Ｓ１０２４でＭＦＰ１０３は、Ｓ１００５で画像コマンドにより受信した画像データとＳ１０２３で実行したスキャン処理によって得られた画像データとをマージする処理を実行する。ここで、マージとは、複数の画像データを複数ページからなる１つの画像データ（文書又は文書ファイルと称することもできる）とすることを意味する。Ｓ１０２５でＭＦＰ１０３は、Ｓ１０２４でマージした画像データをファックス送信する。このファックス送信の宛先は、図８の設定欄８０２に設定された電話番号である。
以上のようにして、タブレット型端末１０１で設定された内容に従って、タブレット型端末１０１からＭＦＰ１０３に送信した画像データとＭＦＰ１０３によるスキャン処理で得られた画像データとがマージされ、ＭＦＰ１０３からファックス送信する処理が行われる。第３の送信処理は、例えば、タブレット型端末１０１で生成した送付状ページと、ＭＦＰ１０３で本文原稿をスキャンして得られる画像データとを１回の通信でファックス送信したい場合に利用される。即ち、第３の送信処理により、タブレット型端末１０１で生成した画像データとＭＦＰ１０３で生成する画像データとをまとめて送信する際の手間を大幅に軽減することができる。
【００２４】
図１１は、本実施形態におけるＭＦＰ１０３のジョブ受信動作の一例を示すフローチャートである。図１１のフローチャートに示す各動作（各ステップの処理）は、制御部２１０のＣＰＵ２１１がＲＯＭ２１２に記憶された制御プログラムを実行することにより実現される。
Ｓ１１０１では、Ｊｏｂ  Ｃｏｎｔｒｏｌｌｅｒ部３０２が、図６のＳ６０２乃至Ｓ６０７、図９のＳ９０３乃至Ｓ９０８及び図１０のＳ１００３乃至Ｓ１０１０で説明したシーケンスでタブレット型端末１０１からファックス送信ジョブを受信する。Ｓ１１０２では、Ｊｏｂ  Ｃｏｎｔｒｏｌｌｅｒ部３０２が、タブレット型端末１０１からの指示の内容を判定する。より具体的に説明すると、Ｊｏｂ  Ｃｏｎｔｒｏｌｌｅｒ部３０２は、画像コマンドを受信し、かつ、スキャンコマンドを受信していない場合は、タブレット型端末１０１から送信された画像データのみをファックス送信すること（第２の送信処理）が指示されたと判定し、Ｓ１１０３へ進む。Ｓ１１０３では、Ｆａｘ部３０５が、タブレット型端末１０１から送信された画像データをファックス送信し処理を終了する。
一方、Ｊｏｂ  Ｃｏｎｔｒｏｌｌｅｒ部３０２は、スキャンコマンドを受信している場合は、ＭＦＰ１０３によるスキャン処理で得られた画像データをファックス送信すること（第１の送信処理又は第３の送信処理）が指示されたと判定し、Ｓ１１０４に進む。Ｓ１１０４では、Ｊｏｂ  Ｃｏｎｔｒｏｌｌｅｒ部３０２が、当該ファックス送信ジョブを原稿スキャン待ちファックス送信ジョブとして保存し処理を終了する。
【００２５】
図１２は、図１１のＳ１１０４でＭＦＰ１０３に保存された原稿スキャン待ちファックス送信ジョブに係る実行フローの一例を示すフローチャートである。図１２のフローチャートに示す各動作（各ステップの処理）は、図１１のフローチャートと同様に制御部２１０のＣＰＵ２１１がＲＯＭ２１２に記憶された制御プログラムを実行することにより実現される。
Ｓ１２０１では、Ｊｏｂ  Ｃｏｎｔｒｏｌｌｅｒ部３０２が、ユーザから原稿スキャン待ちファックス送信ジョブのリスト表示指示があるまで待機する。Ｊｏｂ  Ｃｏｎｔｒｏｌｌｅｒ部３０２は、ユーザから原稿スキャン待ちファックス送信ジョブのリスト表示指示を受け付けると、Ｓ１２０２へ進み、原稿スキャン待ちファックス送信ジョブの有無を判定する。ここで、原稿スキャン待ちファックス送信ジョブがある場合は、Ｓ１２０３へ進む。一方、そうでない場合は、ＵＩ部３０１が、Ｓ１２１４で操作部２２０の表示部に原稿スキャン待ちファックス送信ジョブが無い旨を表示して処理を終了する。
Ｓ１２０３では、ＵＩ部３０１が、操作部２２０の表示部に原稿スキャン待ちファックス送信ジョブのリスト画面を表示する。図１３（ａ）に原稿スキャン待ちファックス送信ジョブのリスト表示画面の一例を示す。図１３（ａ）の画面ではユーザ名をキーにして表示するジョブリストの絞り込みを行うことも可能となっている。ユーザ名の選択はボタン１３０１を押下することで表示されるユーザ選択画面（図示せず）で行う。図１３（ｂ）に絞り込み結果を反映した表示画面の一例を示す。ユーザは、図１３（ａ）又は図１３（ｂ）の表示画面において任意のジョブを選択し、読取設定ボタン（ボタン１３０２）を押下することにより、前記選択したジョブに係る原稿スキャン処理の開始をＭＦＰ１０３に指示する。
【００２６】
Ｓ１２０４で、Ｊｏｂ  Ｃｏｎｔｒｏｌｌｅｒ部３０２は、ユーザからの原稿スキャン処理開始指示があるまで待機する。ユーザからの原稿スキャン処理開始指示があると、ＵＩ部３０１は、Ｓ１２０５で当該ジョブに係る送信設定内容の確認画面を表示する。図１３（ｃ）に送信設定内容の確認画面の一例を示す。図１３（ｃ）の画面では少なくとも宛先電話番号を含む送信設定内容が表示される。また、当該ジョブが第３の送信処理であった場合、ボタン１３０３を押下することでタブレット型端末１０１から受信した画像データを操作部２２０の表示部にプレビュー表示することも可能となっている。これにより、タブレット型端末１０１から受信した画像データをジョブの実行前に確認することができるため、ユーザの利便性を向上させることができる。図１３（ｄ）にプレビュー表示画面の一例を示す。ユーザは図１３（ｃ）の表示画面において送信設定確認指示（送信設定内容に間違いが無いか否かの指示）をＭＦＰ１０３に指示する。送信設定内容に間違いが無い旨を指示する場合、ユーザはボタン１３０４を押下し、そうでない場合は、ボタン１３０５を押下する。
Ｓ１２０６では、ＵＩ部３０１が、ユーザからの送信設定確認指示があるまで待機する。ＵＩ部３０１は、ユーザからの送信設定確認指示があると、Ｓ１２０７で指示内容を判定し、送信設定に間違いが無い旨の指示であった場合はＳ１２０８へ進む。一方、そうでない場合、ＵＩ部３０１は、Ｓ１２０３へ戻り、原稿スキャン待ちジョブのリスト画面を再度表示する。
【００２７】
Ｓ１２０８では、ＵＩ部３０１が、操作部２２０の表示部にスキャン設定画面を表示する。図１３（ｅ）にスキャン設定画面の一例を示す。ユーザは図１３（ｅ）の表示画面において、ＭＦＰ１０３が実行するスキャン処理の詳細設定を行うことができる。また、図１３（ｅ）の画面が表示されている状態でユーザが操作部２２０上のスタートキー（図示せず）を押下することで、スキャン処理の実行を指示することができる。Ｓ１２０９で、ＵＩ部３０１は、ユーザからのスキャン処理の実行指示があるまで待機する。ユーザからのスキャン処理の実行指示があると、Ｓｃａｎ部３０６は、Ｓ１２１０でスキャナ２２２を動作させて原稿を読み取って画像データを生成する。図１３（ｆ）にスキャン処理実行中の表示画面の一例を示す。
Ｓ１２１１では、Ｊｏｂ  Ｃｏｎｔｒｏｌｌｅｒ部３０２が、当該ジョブに関して画像コマンドを受信しているか否か、即ち、第３の送信処理か否かを判定する。画像コマンドを受信している場合は、Ｓ１２１２へ進み、そうでない場合はＳ１２１３へ進む。Ｓ１２１２では、Ｊｏｂ  Ｃｏｎｔｒｏｌｌｅｒ部３０２が、受信した画像データとスキャン処理で得られた画像データとのマージ処理を実行する。Ｓ１２１３では、Ｆａｘ部３０５が、ファックス送信を実行する。
【００２８】
以上説明した通り、本実施形態におけるＭＦＰ１０３は、ＭＦＰ１０３によるスキャンで得られた画像データをファックス送信すること（第１の送信処理及び第３の送信処理）が指示された場合は、スキャナ２２２の使用状況に関わらず、当該指示を受け付けて原稿スキャン待ちファックス送信ジョブとして保存し、ユーザの操作があるまでスキャン処理を待機する。そして、ユーザの操作を契機にしてＭＦＰ１０３は、未処理の原稿スキャン待ちファックス送信ジョブのリスト画面を表示し、当該リストからユーザによるジョブ選択指示を受け付ける。ユーザによるジョブ選択指示があると、ＭＦＰ１０３は、当該ジョブに係る送信設定内容の確認画面を表示し、送信設定確認指示を受け付ける。そして、ユーザから送信設定内容に間違いが無い旨の確認指示があると、ＭＦＰ１０３は、当該ジョブに係るスキャン処理及びファックス送信を実行する。
これにより、複数のユーザが画像処理装置を共有で使用する場合であっても、他のユーザによる画像処理システムの使用状況によらず確実に原稿読取送信ジョブを実行でき、かつ、ほぼ同時の複数のジョブ投入に起因する原稿の誤送信を防止できる。
【００２９】
＜実施形態２＞
次に、本発明の実施形態２について説明する。上述した実施形態１では、第１の送信処理及び第３の送信処理を行う際に、ＭＦＰ１０３の操作部２２０の表示部に原稿スキャン待ちファックス送信ジョブのリスト画面を表示する。そして、ユーザによるジョブ選択指示及び送信設定確認指示をもって、保存された原稿スキャン待ちファックス送信ジョブの中から処理実行すべきジョブを決定する実施形態について説明した。実施形態２では、ジョブを一意に特定するための識別コード（以下、タグコードと称する）を用いて、処理実行すべきジョブを決定するようにした点が実施形態１と異なる。なお、ここでいうタグコードは、ジョブを一意に識別可能とする識別情報の一例である。以下、第１の送信処理を例にして説明する。
図１４は、タブレット型端末１０１に表示されるファックス送信アプリケーションの操作画面の一例を示す図である。設定欄１４０１、１４０２、１４０４は、それぞれ実施形態１の図５で説明した設定欄５０１、５０２、５０３と同様である。ファックス送信キー１４０５は、図５で説明したファックス送信キー５０４と同様である。図１４の操作画面を図５の操作画面と比較すると、設定欄１４０３が追加されていることが分かる。設定欄１４０３では、ジョブを特定するためのタグコードを設定する。設定欄１４０１乃至１４０４の設定が済んだ後にファックス送信キー１４０５が押下されると、タブレット型端末１０１とＭＦＰ１０３との通信が開始される。
【００３０】
図１５は、本実施形態におけるタブレット型端末１０１とＭＦＰ１０３とにおける処理の一例を示すシーケンス図である。Ｓ１５０１でタブレット型端末１０１は、図１４の操作画面を介してユーザからの設定を受け付ける。ここでの例では、設定欄１４０３でタグコードとして「０００１」が設定されるものとする。Ｓ１５０２では、タブレット型端末１０１が、ＭＦＰ１０３にジョブ生成のためのコマンドを送信する。ここで、ジョブ生成コマンドには設定欄１４０３で設定されたタグコード「０００１」が属性情報として付加されるものとする。このコマンドを受けたＭＦＰ１０３は、Ｓ１５０３で当該コマンドに付加されたタグコードと重複するタグコードが設定された原稿スキャン待ちファックス送信ジョブが保存されているか否かを確認する。ＭＦＰ１０３は、重複するタグコードが設定されたジョブが無い場合はＯＫを、重複するタグコードが設定されたジョブがある場合はＮＧをタブレット型端末１０１に応答する。ここでの例では、重複するタグコードが設定されたジョブが存在しないものとして説明する。
Ｓ１５０４でＭＦＰ１０３は、ＯＫをタブレット型端末１０１に応答する。Ｓ１５０５では、タブレット型端末１０１が、ＭＦＰ１０３にスキャンの実行を指示するスキャンコマンドを送信する。このコマンドを受けたＭＦＰ１０３は、スキャナ２２２の使用状況に関わらず、Ｓ１５０６でＯＫをタブレット型端末１０１に応答する。Ｓ１５０７では、タブレット型端末１０１が、ＭＦＰ１０３にジョブ終了のためのコマンドを送信する。このコマンドを受けたＭＦＰ１０３は、Ｓ１５０８でＯＫをタブレット型端末１０１に応答し、Ｓ１５０９で当該受信ジョブを原稿スキャン待ちファックス送信ジョブとして保存する。より具体的に説明すると、ＭＦＰ１０３は、タグコードを用いて受信ジョブを識別可能に保存する。
【００３１】
次に、ＭＦＰ１０３は、ユーザの操作があるまで待機し、Ｓ１５１０でユーザの操作（タグコード入力画面表示指示）を受け付けると、Ｓ１５１１に進む。Ｓ１５１１でＭＦＰ１０３は、操作部２２０の表示部にタグコード入力画面を表示する。Ｓ１５１２でＭＦＰ１０３は、ユーザによるタグコードの入力を受け付ける。ＭＦＰ１０３は、ユーザによるタグコードの入力があると、Ｓ１５１３で前記入力されたタグコードとタグコードが一致する原稿スキャン待ちファックス送信ジョブに係るスキャン設定画面を表示し、ユーザの操作指示を受け付ける。
Ｓ１５１４でユーザによるスキャン実行指示があると、Ｓ１５１５でＭＦＰ１０３は、スキャナ２２２を用いた原稿のスキャン処理を行う。スキャン処理は、図１４の設定欄１４０４に設定された内容に従うが、Ｓ１５１３で表示するスキャン設定画面で設定内容が変更された場合は変更後の設定に従うものとする。Ｓ１５１６でＭＦＰ１０３は、Ｓ１５１５で実行したスキャン処理によって得られた画像データをファックス送信する。このファックス送信の宛先は、図１４の設定欄１４０２に設定された電話番号である。
【００３２】
図１５では、ＭＦＰ１０３がタブレット型端末１０１からジョブ生成コマンドを受信した際に、前記ジョブ生成コマンドに付加されたタグコードとタグコードが重複する原稿スキャン待ちファックス送信ジョブが存在しない場合の例を説明した。図１６では、タグコードが重複する原稿スキャン待ちファックス送信ジョブが存在する場合の例を説明する。
図１６は、タグコードが重複する原稿スキャン待ちファックス送信ジョブが存在する場合のタブレット型端末とＭＦＰ１０３とにおける処理の一例を示すシーケンス図である。Ｓ１６０１でタブレット型端末１０１は、図１４の操作画面を介してユーザからの設定を受け付ける。ここでの例では、設定欄１４０３でタグコードとして「０００１」が設定されるものとする。Ｓ１６０２では、タブレット型端末１０１が、ＭＦＰ１０３にジョブ生成のためのコマンドを送信する。ここで、ジョブ生成コマンドには設定欄１４０３で設定されたタグコード「０００１」が属性情報として付加されるものとする。このコマンドを受けたＭＦＰ１０３は、Ｓ１６０３で当該コマンドに付加されたタグコードと重複するタグコードが設定された原稿スキャン待ちファックス送信ジョブが保存されているか否かを確認する。ここでは、重複するタグコード「０００１」が設定されたジョブが存在する場合を例に説明するため、Ｓ１６０４でＭＦＰ１０３は、ＮＧ（タグコード重複エラー）をタブレット型端末１０１に応答する。これにより、タグコードが重複してしまうことを抑止することができる。なお、Ｓ１６０４における処理は、タグコード重複エラーを通知する通知処理の一例である。
【００３３】
Ｓ１６０５でタブレット型端末１０１は、操作部４２０の表示部にタグコード重複エラーである旨のメッセージを表示し、タグコードの変更をユーザに促す。Ｓ１６０５でタブレット型端末１０１は、図１４の操作画面を再度表示してユーザからのタグコード変更操作を受け付ける。ここでの例では、設定欄１４０３で変更後のタグコードとして「０００２」が設定されるものとする。Ｓ１６０６では、タブレット型端末１０１が、ＭＦＰ１０３にジョブ生成のためのコマンドを送信する。ここで、ジョブ生成コマンドには変更後のタグコード「０００２」が属性情報として付加されるものとする。このコマンドを受けたＭＦＰ１０３は、Ｓ１６０７で当該コマンドに付加されたタグコード「０００２」と重複するタグコードが設定された原稿スキャン待ちファックス送信ジョブが保存されているか否かを確認する。ここでは、変更後のタグコード「０００２」と重複するタグコードが設定されたジョブは存在しないものとして説明する。
Ｓ１６０８でＭＦＰ１０３は、ＯＫをタブレット型端末１０１に応答する。Ｓ１６０９では、タブレット型端末１０１が、ＭＦＰ１０３にスキャンの実行を指示するスキャンコマンドを送信する。このコマンドを受けたＭＦＰ１０３は、スキャナ２２２の使用状況に関わらず、Ｓ１６１０でＯＫをタブレット型端末１０１に応答する。Ｓ１６１１では、タブレット型端末１０１が、ＭＦＰ１０３にジョブ終了のためのコマンドを送信する。このコマンドを受けたＭＦＰ１０３は、Ｓ１６１２でＯＫをタブレット型端末に応答し、Ｓ１６１３で当該受信ジョブを原稿スキャン待ちファックス送信ジョブとして保存する。
Ｓ１６１４乃至Ｓ１６２０のシーケンスは、Ｓ１６１６において前記変更後のタグコード「０００２」を入力する点以外は図１５のＳ１５１０乃至Ｓ１５１６のシーケンスと同様であるため説明は省略する。
【００３４】
図１７は、実施形態２におけるＭＦＰ１０３のジョブ受信動作の一例を示すフローチャートである。図１２のフローチャートに示す各動作（各ステップの処理）は、制御部２１０のＣＰＵ２１１がＲＯＭ２１２に記憶された制御プログラムを実行することにより実現される。
Ｓ１７０１では、Ｊｏｂ  Ｃｏｎｔｒｏｌｌｅｒ部３０２が、タブレット型端末１０１からジョブ生成コマンドを受信する。Ｓ１７０２では、Ｊｏｂ  Ｃｏｎｔｒｏｌｌｅｒ部３０２が、当該ジョブ生成コマンドに付加されたタグコードとタグコードが重複する原稿スキャン待ちファックス送信ジョブがあるか否かを判定する。ここで、重複するタグコードが設定されたジョブが存在する場合は、Ｓ１７０３へ進み、Ｊｏｂ  Ｃｏｎｔｒｏｌｌｅｒ部３０２は、タブレット型端末１０１へタグコード重複エラーを応答して処理を終了する。一方、重複するタグコードが設定されたジョブが存在しない場合は、Ｓ１７０４へ進む。Ｓ１７０４では、Ｊｏｂ  Ｃｏｎｔｒｏｌｌｅｒ部３０２が、タブレット型端末１０１から送信される後続コマンドを受け付ける。ここで、Ｊｏｂ  Ｃｏｎｔｒｏｌｌｅｒ部３０２は、後続コマンドを受信するとＳ１７０５へ進み、ジョブ終了コマンドを受信したか否かを判定する。Ｊｏｂ  Ｃｏｎｔｒｏｌｌｅｒ部３０２は、ジョブ終了コマンドを受信している場合はＳ１７０６へ進み、そうでない場合はＳ１７０４へ戻り、再度後続コマンドを受け付ける。
Ｓ１７０６では、Ｊｏｂ  Ｃｏｎｔｒｏｌｌｅｒ部３０２が、タブレット型端末１０１からの指示の内容を判定する。より具体的に説明すると、Ｊｏｂ  Ｃｏｎｔｒｏｌｌｅｒ部３０２は、画像コマンドを受信し、かつ、スキャンコマンドを受信していない場合は、タブレット型端末１０１から送信された画像データのみをファックス送信することが指示されたと判定し、Ｓ１７０７へ進む。Ｓ１７０７では、Ｆａｘ部３０５が、画像コマンドで受信した画像データのファックス送信を実行して処理を終了する。一方、スキャンコマンドを受信している場合は、Ｓ１７０８へ進み、Ｊｏｂ  Ｃｏｎｔｒｏｌｌｅｒ部３０２が、当該ジョブを原稿スキャン待ちファックス送信ジョブとして保存する。
【００３５】
図１８は、図１７のＳ１７０８でＭＦＰ１０３に保存された原稿スキャン待ちファックス送信ジョブに係る実行フローの一例を示すフローチャートである。図１８のフローチャートに示す各動作（各ステップの処理）は、図１７のフローチャートと同様に制御部２１０のＣＰＵ２１１がＲＯＭ２１２に記憶された制御プログラムを実行することにより実現される。
Ｓ１８０１で、Ｊｏｂ  Ｃｏｎｔｒｏｌｌｅｒ部３０２は、ユーザによるタグコードの入力画面表示指示があるまで待機する。Ｊｏｂ  Ｃｏｎｔｒｏｌｌｅｒ部３０２は、ユーザによるタグコードの入力画面表示指示があると、Ｓ１８０２へ進み、原稿スキャン待ちファックス送信ジョブの有無を判定する。ここで、Ｊｏｂ  Ｃｏｎｔｒｏｌｌｅｒ部３０２は、原稿スキャン待ちファックス送信ジョブがある場合は、Ｓ１８０３へ進む。一方、そうでない場合は、ＵＩ部３０１が、Ｓ１８１３で操作部２２０の表示部に原稿スキャン待ちファックス送信ジョブが無い旨を表示して処理を終了する。Ｓ１８０３では、ＵＩ部３０１が、操作部２２０の表示部にタグコード入力画面を表示する。図１９（ａ）にタグコード入力画面の一例を示す。
【００３６】
Ｓ１８０４で、Ｊｏｂ  Ｃｏｎｔｒｏｌｌｅｒ部３０２は、ユーザからのタグコード入力があるまで待機する。Ｊｏｂ  Ｃｏｎｔｒｏｌｌｅｒ部３０２は、ユーザからのタグコード入力があると、Ｓ１８０５へ進み、前記入力されたタグコードと一致するタグコードが設定された原稿スキャン待ちファックス送信ジョブを検索する。そして、Ｊｏｂ  Ｃｏｎｔｒｏｌｌｅｒ部３０２は、Ｓ１８０６で検索結果の判定を行う。ここで、タグコードが一致するジョブがある場合は、Ｓ１８０７へ進み、そうでない場合は、Ｓ１８１４へ進む。
Ｓ１８１４では、ＵＩ部３０１が、入力されたタグコードとタグコードが一致するジョブが無い旨のエラーメッセージを操作部２２０の表示部に表示して処理を終了する。Ｓ１８０７では、ＵＩ部３０１が、操作部２２０の表示部に入力されたタグコードとタグコードが一致するジョブが見つかった旨のメッセージを表示した後、当該ジョブに係るスキャン設定画面を表示する。図１９（ｂ）及び図１９（ｃ）に、タグコードが一致するジョブが無い場合、タグコードが一致するジョブがある場合のそれぞれの場合における表示画面の一例を示す。以降、Ｓ１８０７乃至Ｓ１８１２の処理は、図１２のＳ１２０８乃至Ｓ１２１３と同様であるため説明は省略する。
【００３７】
以上説明した通り、実施形態２においては、ＭＦＰ１０３によるスキャンで得られた画像データのファックス送信（第１の送信処理及び第３の送信処理）をタブレット型端末１０１から指示する場合は、ユーザによりタブレット型端末１０１で入力されたタグコードを付加してＭＦＰ１０３へのジョブ投入を行う。そして、ＭＦＰ１０３は、タグコードが重複する原稿スキャン待ちファックス送信ジョブが無い場合に限り、前記投入されたジョブを受け付けて、原稿スキャン待ちファックス送信ジョブとして保存し、ユーザの操作があるまでスキャン処理を待機する。そして、ユーザの操作を契機にしてＭＦＰ１０３はタグコードの入力画面を表示し、ユーザによるタグコードの入力を受け付ける。ユーザによるタグコードの入力があると、ＭＦＰ１０３は、入力されたタグコードとタグコードが一致するジョブを検索し、検索の結果見つかったジョブに係るスキャン処理及びファックス送信を実行する。これらの構成により、原稿スキャン待ちファックス送信ジョブのリストから所望のジョブを選択してスキャン処理を実行するといったオペレーション無しに、実行すべきジョブを指示することができ、ユーザの利便性を向上させることができる。
【００３８】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００３９】
以上、上述した各実施形態によれば、複数のユーザが画像処理装置を共有で使用する場合であっても、他のユーザによる画像処理装置の使用状況によらず確実に原稿読取送信ジョブを実行する仕組みを提供することができる。
【００４０】
以上、本発明の好ましい形態について詳述したが、本実施形態は係る特定の実施形態に限定されるものではなく、特許請求の範囲に記載された本発明の要旨の範囲内において、種々の変形・変更が可能である。
【符号の説明】
【００４１】
１０１  タブレット型端末、１０２  無線ネットワークルーター、１０３  ＭＦＰ、２１０  制御部、２１１  ＣＰＵ、２１２  ＲＯＭ、２１３  ＲＡＭ、２１４  ＨＤＤ
【図１】
0006440480.tif 000002
【図２】
0006440480.tif 000003
【図３】
0006440480.tif 000004
【図４】
0006440480.tif 000005
【図５】
0006440480.tif 000006
【図６】
0006440480.tif 000007
【図７】
0006440480.tif 000008
【図８】
0006440480.tif 000009
【図９】
0006440480.tif 000010
【図１０】
0006440480.tif 000011
【図１１】
0006440480.tif 000012
【図１２】
0006440480.tif 000013
【図１３】
0006440480.tif 000014
【図１４】
0006440480.tif 000015
【図１５】
0006440480.tif 000016
【図１６】
0006440480.tif 000017
【図１７】
0006440480.tif 000018
【図１８】
0006440480.tif 000019
【図１９】
0006440480.tif 000020